(57)【要約】  円形に配置された複数の計量ユニットを有すると共に、組合せ演算よって選択された計量ユニットから排出される物品を集合ホッパに一時保持して排出する組合せ秤と、集合ホッパから排出される物品を、整列させると共に、振動搬送する整列搬送部とを備える。
2020003410.tif 000002
【特許請求の範囲】
【請求項１】
円形に配置された複数の計量ユニットを有すると共に、組合せ演算よって選択された前記計量ユニットから排出される物品を集合ホッパに一時保持して前記集合ホッパから排出する組合せ秤と、前記集合ホッパから排出される物品を、整列させると共に、振動搬送する整列搬送部とを備える、
組合せ計量装置。
【請求項２】
前記整列搬送部は、前記集合ホッパから排出される前記物品が投入される集合トラフと、前記集合トラフを振動させて、前記物品を前記集合トラフの長手方向へ振動搬送する加振機とを有し、
前記集合トラフは、窪んで湾曲した底部を有する、
請求項１に記載の組合せ計量装置。
【請求項３】
前記集合トラフが、断面Ｕ字状である、
請求項２に記載の組合せ計量装置。
【請求項４】
前記整列搬送部は、前記物品の搬送方向に沿って配置された複数の前記集合トラフと、前記複数の集合トラフの前記物品の搬送方向の各終端にそれぞれ設けられて、前記集合トラフの各搬送路をそれぞれ開閉する複数のシャッタとを有する、
請求項２に記載の組合せ計量装置。
【請求項５】
前記整列搬送部は、前記複数の集合トラフの内、前記物品の搬送方向の最も下手側の前記集合トラフの前記物品を押し出して排出するプッシャーを有する、
請求項４に記載の組合せ計量装置。
【請求項６】
前記組合せ秤と前記整列搬送部との間に配置されて、前記組合せ秤の前記集合ホッパから排出される前記物品を複数個所に振分け排出する振分け部を更に備え、
前記整列搬送部を、前記振分け部で振分け排出される前記複数個所に対応して複数備える、
請求項１ないし５のいずれか一項に記載の組合せ計量装置。
【請求項７】
前記組合せ秤の前記集合ホッパは、前記物品を２つの排出経路に選択排出可能であり、
前記振分け部は、前記２つの前記排出径路に排出された物品をそれぞれ流下案内する２つの振分けシュートと、各振分けシュートによって流下案内された物品を一時保持すると共に、２つの排出経路に選択排出可能な２つの振分けホッパとを備え、
前記複数の各整列搬送部は、前記２つの各振分けホッパの２つの各排出経路に個別的に対応する、
請求項６に記載の組合せ計量装置。
【発明の詳細な説明】
【技術分野】
【０００１】
本発明は、組合せ計量装置に係り、更に詳しくは、比較的柔らかくて細長い物品の計量に好適な組合せ計量装置に関する。
【背景技術】
【０００２】
細長い棒状の物品を対象とする組合せ計量装置としては、例えば、特許文献１に記載された装置がある。この特許文献１の装置では、組合せ計量した棒状の物品を、集合ロートを介して下窄まりの縦向き筒状に形成された集合シュートに導いた後、揺動ガイド筒及びガイド筒に供給する。供給された棒状の物品を、縦向き姿勢で揺動ガイド筒及びガイド筒を挿通した状態で収容保持し、揺動ガイド筒を揺動させて物品の重なりを解消する。その後、ガイド筒の下端に備えたシャッタ板を水平に開放することで、縦向き姿勢の物品を下方に落下排出するようにしている。【０００３】
特許文献２には、組合せ計量した棒状の物品を、整列させる装置が記載されている。この特許文献２の装置では、組合せ計量した棒状の物品を、下方へ向かって狭まりながら延びるスロートを有する配列用シュートに沿って滑落移動させる間に、姿勢を変えて整列用トレーに所望の倒れ姿勢で収容する。収容した棒状の物品を、整列用トレーの底のゲートを水平にスライド開放することによって、収容姿勢を保持したまま落下排出するようにしている。
【先行技術文献】
【特許文献】
【０００４】
【特許文献１】特開平８−２７１３２７号公報
【特許文献２】特開平１０−２７３１１２号公報
【発明の概要】
【発明が解決しようとする課題】
【０００５】
特許文献１は、多少の衝撃によって曲がったり折れたりすることのない硬めの棒状物品を組合せ計量の対象とするものであり、例えば、鱈のすり身を主原料とする乾燥シートの間にチーズを挟んで細長く切断したチーズタラあるいはジャーキー等の比較的柔らかくて細長い物品に適用するのは困難である。すなわち、特許文献１の装置で、比較的柔らかくて細長い物品を計量しようとすると、最終段のガイド筒に縦姿勢で落下収容される際に、その落下衝撃によって物品が曲がったり折れたりするおそれがある。このため、計量した物品を整列した状態で好適に排出するのは難しい。【０００６】
特に、チーズタラ等の食品は、外部から目視可能に透明な包装袋等に封止されて販売されることが多く、曲がったり折れたりしたものが混じっていると商品価値が下ってしまう。【０００７】
また、特許文献２も、スティックパンのような硬めの棒状物品を対象とするものであり、比較的柔らかくて細長い物品を整列させて排出するのは困難である。すなわち、チーズタラのように比較的柔らかく、かつ、湿り気があって滑り抵抗が大きい細長い物品を、下方へ向かって狭まりながら延びるスロートを有する配列用シュートに沿って滑落移動させながら整列させて姿勢変更するのは難しい。【０００８】
このため、従来より、チーズタラのような柔らかい細長い物品の計量包装は、人手によって行われている。具体的には、作業者がトレー上に物品を整列させて載せると共に、台秤等で計量し、包装材に載荷あるいは挿入して包装材をシールするといったように、計量、整列及び包装を手作業で行っている。【０００９】
本発明は、このような実情に着目してなされたものであって、比較的柔らかくて細長い物品を計量して、整列した状態で搬出することができる組合せ計量装置を提供することを目的とする。
【課題を解決するための手段】
【００１０】
上記目的を達成するために、本発明では次のように構成している。【００１１】
（１）本発明に係る組合せ計量装置は、円形に配置された複数の計量ユニットを有すると共に、組合せ演算よって選択された前記計量ユニットから排出される物品を集合ホッパに一時保持して前記集合ホッパから排出する組合せ秤と、前記集合ホッパから排出される物品を、整列させると共に、振動搬送する整列搬送部とを備える。【００１２】
本発明によると、組合せ秤の集合ホッパから排出される物品は、整列搬送部によって、振動搬送されながら整列するので、例えば、チーズタラやジャーキー等の比較的柔らかくて細長い物品であっても、曲がったり折れたりすることなく、整列させて、後段の包装処理工程等へ搬出することが可能となる。【００１３】
（２）本発明の好ましい実施態様では、前記整列搬送部は、前記集合ホッパから排出される前記物品が投入される集合トラフと、前記集合トラフを振動させて、前記物品を前記集合トラフの長手方向へ振動搬送する加振機とを有し、前記集合トラフは、窪んで湾曲した底部を有する。【００１４】
この実施態様によると、細長い物品は、振動搬送されながら、窪んで湾曲した集合トラフの底部に沿って積層集合すると共に、その長手方向が、集合トラフの長手方向に沿った姿勢に整列される。【００１５】
（３）本発明の他の実施態様では、前記集合トラフが、断面Ｕ字状である。【００１６】
この実施態様によると、集合トラフに投入された物品は、振動搬送されながら、集合トラフのＵ字状の断面に沿って積層集合すると共に、その長手方向が集合トラフの長手方向に沿った姿勢に円滑に整列する。【００１７】
（４）本発明の一実施態様では、前記整列搬送部は、前記物品の搬送方向に沿って配置された複数の前記集合トラフと、前記複数の集合トラフの前記物品の搬送方向の各終端にそれぞれ設けられて、前記集合トラフの各搬送路をそれぞれ開閉する複数のシャッタとを有する。【００１８】
この実施態様によると、各集合トラフで振動搬送される物品が、終端のシャッタによって受け止められて、先端が揃った状態で整列される。また、複数の集合トラフによって、段階的に整列状態を整えることができ、物品の搬送方向の最も下手側に配置された集合トラフから搬出される物品は、向き及び端部が揃った良好な整列状態となる。【００１９】
（５）本発明の他の実施態様では、前記整列搬送部は、前記複数の集合トラフの内、前記物品の搬送方向の最も下手側の前記集合トラフの前記物品を押し出して排出するプッシャーを有する。【００２０】
この実施態様によると、整列搬送部の物品の搬送方向の最も下手側の集合トラフから排出される物品は、プッシャーで押圧されて一挙に排出されることになり、振動搬送のみで排出する場合に比べて排出時間が短く、かつ、物品の端部が揃った状態で排出することができる。【００２１】
（６）本発明の更に他の実施態様では、前記組合せ秤と前記整列搬送部との間に配置されて、前記組合せ秤の前記集合ホッパから排出される前記物品を複数個所に振分け排出する振分け部を更に備え、前記整列搬送部を、前記振分け部で振分け排出される前記複数個所に対応して複数備える。【００２２】
この実施態様によると、組合せ秤の集合ホッパから排出される物品を、振分け部において複数個所の各整列搬送部にそれぞれ振分けて、複数系統の各整列搬送部において整列搬送するので、１系統で整列搬送する場合に比べて、組合せ秤を高速作動させて効率の高い計量処理を行うことができる。【００２３】
つまり、整列搬送部で物品の整列と搬送を行う場合、搬送速度を高くするのが難しいが、複数系統での整列列搬送を行うことで、各整列搬送径路において整列に好適な搬送速度で振動搬送を行いながら、組合せ秤で高速な計量処理を行うことができ、生産性を高めることができる。【００２４】
（７）本発明の他の実施態様では、前記組合せ秤の前記集合ホッパは、前記物品を２つの排出経路に選択排出可能であり、前記振分け部は、前記２つの前記排出径路に排出された物品をそれぞれ流下案内する２つの振分けシュートと、各振分けシュートによって流下案内された物品を一時保持すると共に、２つの排出経路に選択排出可能な２つの振分けホッパとを備え、前記複数の各整列搬送部は、前記２つの各振分けホッパの２つの各排出経路に個別的に対応する。【００２５】
この実施態様によると、組合せ秤の集合ホッパから排出される物品を、振分け部において、４つの各整列搬送部にそれぞれ振分けて、４系統の各整列搬送部において整列搬送できるので、１系統で整列搬送する場合に比べて、効率の高い計量及び整列搬送を行うことが可能となる。
【発明の効果】
【００２６】
本発明によれば、比較的柔らかくて細長い物品を計量し、整列させた状態で搬出することができる。
【図面の簡単な説明】
【００２７】
【図１】図１は本発明の一実施形態に係る組合せ計量装置の斜視図である。
【図２】図２は図１の組合せ計量装置の正面図である。
【図３】図３は図１の組合せ計量装置の側面図である。
【図４】図４は振分け部及び整列搬送部を示す斜視図である。
【図５】図５は整列搬送部の縦断側面図である。
【図６】図６は整列搬送部の上段の集合トラフを示す斜視図である。
【図７】図７は整列搬送部の上段の集合トラフを示す正面図である。
【図８】図８は整列搬送部の中段の集合トラフを示す斜視図である。
【図９】図９は整列搬送部の下段の集合トラフを示す斜視図である。
【図１０】図１０は整列搬送部の下段の集合トラフを示す縦断正面図である。
【図１１】図１１は本発明の他の実施形態の下段の集合トラフを示す一部切欠き斜視図である。
【図１２】図１２は図１１の集合トラフを分解した斜視図である。
【図１３】図１３は図１１の集合トラフを示す縦断側面図である。
【図１４】図１４は図１１の集合トラフを示す正面図である。
【発明を実施するための形態】
【００２８】
以下、本発明の実施形態について、図面を参照しながら詳細に説明する。
【００２９】
図１は、本発明の一実施形態に係る組合せ計量装置の斜視図であり、図２は、図１の組合せ計量装置の正面図であり、図３は、図１の組合せ計量装置の側面図である。
【００３０】
この実施形態の組合せ計量装置は、例えば、鱈のすり身を主原料とする乾燥シートの間にチーズを挟んで細長く切断したチーズタラあるいはジャーキーなどの比較的柔らかくて細長い物品を計量して搬出するのに好適な組合せ計量装置である。
【００３１】
この組合せ計量装置は、チーズタラ等の物品を組合せ計量して排出する組合せ秤１と、組合せ秤１から排出された所定重量範囲の物品を複数個所（この例では４箇所）に振分ける振分け部２と、振分け部２によって複数個所に振分けられた物品のそれぞれを、整列させながら複数系統（この例では４系統）の径路でそれぞれ振動搬送して搬出する複数（この例では４つ）の整列搬送部３を備えている。
【００３２】
なお、以下においては、説明の便宜上、図２における左右方向、及び、図３における紙面表裏方向を左右方向と呼称し、図２における紙面表裏方向、及び、図３における左右方向を前後方向と呼称することにする。
【００３３】
組合せ秤１は、作業者が登り降り可能に立設された基台４上に設置され、振分け部２と整列搬送部３は、その下方の床面上に設置されている。
【００３４】
組合せ秤１は、供給装置５によって上部中央から落下供給された物品を振動によって放射状に分散搬送する円錐形の分散フィーダ６、分散フィーダ６によって分散搬送された物品を外方に向けて直線的に振動搬送する多数台（この例では１４台）のリニアフィーダ７、各リニアフィーダ７の終端下方に平面視で円形に配備された多数連（この例では１４連）の計量ユニット８を備えている。
【００３５】
各計量ユニット８は、リニアフィーダ７からの物品を受け取って一時保持する供給ホッパ９と、供給ホッパ９から排出された物品を受け取ってその重量を計測する計量ホッパ１０とを備えている。分散フィーダ６の周囲に円形に配置された多数連の計量ユニット８の下方には、各計量ホッパ１０から排出された物品を装置の中心下方に向けて流下案内する集合シュート１１、集合シュート１１に沿って流下してきた物品を一か所に集める集合ファネル１２、及び、集合ファネル１２で集められた物品を受け取って一時収容保持する集合ホッパ１３が配備されている。この実施形態では、各フィーダ６，７、集合シュート１１、集合ファネル１２、及び、各ホッパ９，１０，１３は、図示していないが、物品との摩擦を低減するためにエンボス加工が施されている。
【００３６】
組合せ秤１では、従来と同様に組合せ計量を行う。すなわち、組合せ秤１の制御装置（図示せず）は、複数の計量ホッパ１０で計量された物品の重量を種々に組合せた組合せ重量が、目標組合せ重量に等しい又は目標組合せ重量に最も近い所定重量範囲となる計量ホッパ１０の組合せである適量組合せを選択する組合せ演算を行う。この組合せ演算で適量組合せとして選択した計量ホッパ１０の物品を排出する。これによって、集合ホッパ１３に所定重量範囲の物品が一時収容保持される。
【００３７】
図４に示すように、集合ホッパ１３は、それぞれ独立に互いに反対方向に開閉する左右一対のゲート１３ａ，１３ｂを備えている。これらゲート１３ａ，１３ｂのいずれか一方１３ａ（１３ｂ）を、選択して開放作動させることによって、一時保持した所定重量範囲の物品を左右の排出径路に選択して分配排出するようになっている。
【００３８】
前記振分け部２は、集合ホッパ１３で分配排出された所定重量範囲の物品を更に左右に離れた２箇所に流下案内する左右の振分けシュート２１と、各振分けシュート２１で案内された所定重量範囲の物品を受け取って一時保持する一対の振分けホッパ２２とを備えている。
【００３９】
各振分けホッパ２２も、集合ホッパ１３と同様に、独立に開閉する左右のゲート２２ａ，２２ｂを選択して開放作動させることで、保持した物品を左右の排出径路に選択して振分け排出することができる。すなわち、組合せ秤１の集合ホッパ１３から分配排出された所定重量範囲の物品が、振分け部２で更に振り分けられて、左右方向の４箇所に固定配備された分配シュート２３に供給されるようになっている。
【００４０】
振分け部２の４つの分配シュート２３に対応して、左右方向に並列された４つの整列搬送部３が設けられ、これら整列搬送部３によって、４系統の整列搬送径路が構成される。各整列搬送部３は、下方へ湾曲した底部を有する３つの集合トラフ３１，３２，３３を備えている。
【００４１】
各整列搬送部３の３つの集合トラフ３１，３２，３３は、図５に示すように、物品の搬送方向に向けて先下がり階段状に縦列配備されている。各集合トラフ３１，３２，３３は、電磁式の加振機３４，３５，４５にそれぞれ脱着可能に連結され、各集合トラフ３１，３２，３３をそれぞれ任意の振動振幅及び振動時間等で個別に振動駆動することができるようになっている。
【００４２】
なお、物品の搬送方向の最も上手側の上段、及び、次の中段の集合トラフ３１，３２が、若干先下がり傾斜した姿勢で設置されているのに対して、物品の搬送方向の最も下手側の下段の集合トラフ３３は前後水平姿勢に設置されている。
【００４３】
図６は、整列搬送部３の上段の集合トラフ３１を示す斜視図であり、図７は、その正面図であり、図８は、整列搬送部３の中段の集合トラフ３２を示す斜視図である。また、図６及び図８では、１個の物品ｗのみを代表的に示している。
【００４４】
これら集合トラフ３１，３２は、窪んで湾曲した下窄まりの底部を有し、上方が開放した断面形状がＵ字状のトラフ本体３１ａ，３２ａを、支持板３１ｂ，３２ｂで取り囲んで補強支持した構造となっている。支持板３１ｂ，３２ｂは、底板の幅方向の両端から一対の側板が立設された構造となっている。支持板３１ｂ，３２ｂの下面に連結した連結台３１ｃ，３２ｃを、図５に示す加振機３４，３５の振動ヘッド部３４ａ，３５ａに位置決め係止して、バックル形の締結具３６で脱着可能に連結するようになっている。なお、上段、及び、中段の集合トラフ３１，３２における後端（物品の搬送方向上手側の端）には、壁板３１ｄ，３２ｄが備えられ、供給された物品がトラフ後端から外部にこぼれ落ちることが防止されている。
【００４５】
集合トラフ３１，３２の前端部（物品の搬送方向下手側の端部）には、支持板３１ｂ，３２ｂに連設された縦向きのレール部３７，３８が左右内向きに対向して配備されている。各レール部３７，３８に、集合トラフ３１，３２における搬送路をそれぞれ開閉するシャッタ３９，４０が、上下動可能に案内支持されている。シャッタ３９，４０は、正面の外形形状が、集合トラフ３１，３２のＵ字の外形に沿った形状となっている。
【００４６】
シャッタ３９，４０は、トラフ脇において縦姿勢で固定配備されたエアシリンダ４１，４２に、ステー４３，４４を介して連結されており、昇降開閉されるようになっている。
【００４７】
各集合トラフ３１，３２は、基本的に常時振動駆動されており、各シャッタ３９，４０の開閉によって、物品ｗの排出が制御される。
【００４８】
図９は、整列搬送部３の下段の集合トラフ３３を示す斜視図であり、図１０は、その縦断正面図である。
【００４９】
この集合トラフ３３のトラフ本体３３ａは、底板の幅方向（左右方向）の両端から一対の側板が立設されると共に、平坦な底板の左右中央に、搬送方向に沿って延びる低い仕切り壁３３ｅを備えている。
【００５０】
また、トラフ本体３３ａの下面に取り付けた連結台３３ｃを、図５に示される加振機４５の振動ヘッド部４５ａに位置決め係止して、バックル形の締結具４６で脱着可能に連結するようになっている。
【００５１】
トラフ本体３３ａの前端部（物品の搬送方向下手側の端部）には、縦向きのレール部４７が備えられている。このレール部４７に、集合トラフ３３における搬送路を開閉するシャッタ４８が上下動可能に案内支持されている。このシャッタ４８は、その正面の外形形状が、集合トラフ３３の外形に沿った矩形となっている。シャッタ４８は、トラフ横脇において縦姿勢に立設固定されたエアシリンダ４９にステー５０を介して連結されており、昇降開閉されるようになっている。
【００５２】
更に、下段の集合トラフ３３の上方には、前方（搬送方向）に向けて片持ち状に固定配備された支持フレーム５１を介して前後水平に電動スライダ５２が配備されている。この電動スライダ５２のスライド部５２ａに連結されて下方に延出されたステー５３の下端部に、トラフ本体３３ａの底部に沿って前後移動可能なプッシャー５４が備えられている。なお、プッシャー５４の左右中間部には、集トラフ本体３３ａの仕切り壁３３ｅに跨るスリット５４ａが形成されている。
【００５３】
集合トラフ３３は、基本的に常時振動駆動されており、シャッタ４８の開放に連動するプッシャー５４の前方への進出移動によって、物品ｗを一挙に排出する。
【００５４】
この実施形態では、整列搬送部３の各集合トラフ３１，３２，３３のトラフ本体３１ａ，３２ａ，３３ａ、シャッタ３９，４０，４８、及び、振分け部２の各シュート２１，２３、振分けホッパ２２は、図示していないが、物品との摩擦を低減するためにエンボス加工が施されている。
【００５５】
本実施形態に係る組合せ計量装置は以上のように構成されている。次に、この組合せ計量装置の動作を説明する。
【００５６】
組合せ秤１の集合ホッパ１３から排出された所定重量範囲の物品は、４つの整列搬送部３の物品の排出状況に応じて、振分け部２で左右方向の４箇所のいずれかの整列搬送部３の始端部に供給される。
【００５７】
整列搬送部３に供給された所定重量範囲の物品は、先ず、上段の集合トラフ３１において振動作用を受け、細長い物品はその長手方向が前後方向に向かう姿勢に振動整列されながら前進搬送され、閉じ位置にあるシャッタ３９に受止められ、前端が揃えられた状態で前進が停止する。
【００５８】
次に、シャッタ３９が開かれることで、物品は中段の集合トラフ３２に振動搬送されて供給される。中段の集合トラフ３２に供給された物品は、振動作用を受け、整列されながら前進搬送されて閉じ位置にある中段のシャッタ４０に受止められて、前端が揃えられた状態で前進が停止する。
【００５９】
次に、シャッタ４０が開かれることで、集合トラフ３２の物品は、下段の集合トラフ３３に振動搬送されて供給される。下段の集合トラフ３３に供給された物品は、更に振動作用を受け、整列されながら前進搬送されて閉じ位置にある下段のシャッタ４７に受止められて前進が停止する。この時、下段の集合トラフ３３に移載された物品は、仕切り壁３３ｅによって、その長手方向が横向きになるのを阻止され、物品の長手方向が、前後方向へ向かう整列状態で保持される。
【００６０】
次に、下段のシャッタ４８が開かれると共に、集合トラフ３３の始端部で待機していたプッシャー５４が前進作動し、これによって物品は、下段の集合トラフ３３から整列状態のまま一挙に押出される。
【００６１】
なお、下段の集合トラフ３３の排出箇所には、例えば、ロボットアーム等に支持された搬送具が待機しており、集合トラフ３３から排出された物品は、一旦搬送具に整列状態で受け取られた後、所定の包装ラインに運び込まれ、浅い箱形パッケージなどに供給装填され、その後、包装工程において封止される。
【００６２】
この実施形態では、図３等に示されるように、振分け部２における振分けシュート２１は、電動スライダ２５によって前後に移動可能に構成されると共に、振分けシュート２１の背部にはリジェクトシュート２４が連結されている。例えば、計量ホッパ１０に、適量組合せに選択されにくい過量の物品が供給されたような場合には、その計量ホッパ１０から過量の物品を集合ホッパ１３に排出する。更に、図３中の仮想線で示すように、振分けシュート２１及びリジェクトシュート２４を前方に一体移動させて、リジェクトシュート２４が組合せ秤１における集合ホッパ１３に臨むようにし、集合ホッパ１３から過量の物品をリジェクトシュート２４に排出し、リジェクトシュート２４を介して回収容器などに回収する。
【００６３】
本実施形態では、集合ホッパ１３から排出される物品を、整列搬送部３の集合トラフ３１，３２，３３によって、振動搬送しながら段階的に整列させることができると共に、各集合トラフ３１，３２，３３のシャッタ３９，４０，４８によって、物品の先端を揃えることができるので、最終段の集合トラフ３３から搬出される際の物品は、向き及び端部の揃った良好な整列状態となる。
【００６４】
［その他の実施形態］
本発明は、以下のような形態で実施することもできる。
【００６５】
（１）例えば、下段の集合トラフ３３を、図１１〜図１４に示す形態に構成することもできる。すなわち、この実施形態では、底板の幅方向（左右方向）の両端から一対の側板が立設されたトラフ本体３３ａの前半部に、後半部底面より高く、かつ、後半部横幅より幅狭の搬送通路を有する前半部底板３３ｆが備えられる。更に、左右中央部位には、前半部底板３３ｆと後半部底面とに亘る仕切り壁３３ｅが立設されている。仕切り壁３３ｅの上端は、前半部底板３３ｆよりも高く設定され、前半部底板３３ｆにおける仕切り壁３３ｅの上端辺は、搬送方向に向けて次第に高くなるよう傾斜されている。これによって、前半部底板３３ｆの搬送通路に供給された物品が、仕切り壁３３ｅの傾斜上端辺によって円滑に左右に振分け案内されながら後方に振動搬送されるようになっている。
【００６６】
また、プッシャー５４は、前半部底板３３ｆより低い位置において、仕切り壁３３ｅの左右両脇に分断されている。この分断されたプッシャー５４が、電動スライダ５２で前後に駆動移動されるステー５３の左右下端部に、それぞれ連結支持されている。左右に分断されたプッシャー５４には、トラフ本体３３ａの側板に添う側板部５４ｂと、トラフ本体３３ａの底面に添う底板部５４ｃとが備えられている。これによって、プッシャー５４が進出作動することで、トラフ後半部にある物品を掬い込みながら押出し排出する。
【００６７】
なお、前半部底板３３ｆの後端左右箇所には、後退移動したステー５３が入り込む切欠きｋが形成されており、後退したプッシャー５４が、前半部底板３３ｆの後端部下方に潜り込んで待機するようになっている。
【００６８】
（２）整列搬送部３における上段の集合トラフ３１のみを断面形状がＵ字状のものにし、中段の集合トラフ３２を、下段の集合トラフ３３と同様に、底板の幅方向の両端から一対の側板が立設されると共に、底板の左右中央に仕切り壁を備えるものにして実施することもできる。
【００６９】
（３）整列搬送部３における３つの集合トラフ３１，３２，３３を、全て断面形状がＵ字状のものにして実施してもよい。
【００７０】
（４）整列搬送部３における少なくとも上段の集合トラフ３１の縦断面形状を窪んで湾曲すると共に、上拡がりに開放されたＶ字形に形成してもよい。
【００７１】
（５）振分け部２における振分けシュート２１の下端に単純に開閉するゲートを備えて、物品を２箇所に振分け排出するよう構成すると共に、振分け部２によって振分け排出された物品を振動搬送する２系統の整列搬送部３を備えた形態で実施することもできる。
【００７２】
（６）特に高速の処理が要求されない場合には、振分け部２を省略して、組合せ秤１から排出された物品を、単一の整列搬送部３に供給する形態で実施することも可能である。
【００７３】
（７）整列搬送部３を構成する集合トラフは３台に限らず、３台未満あるいは４台以上であってもよい。
【００７４】
（８）計量ユニット８は、供給ホッパ９及び計量ホッパ１０を備える構成に限らず、他のホッパ、例えば、計量ホッパ１０で計量されて、該計量ホッパ１０から排出された物品を貯留して排出するメモリホッパを備える構成であってもよい。この場合、計量ホッパ１０及びメモリホッパを組合せ演算の対象とし、適量組合せとしてメモリホッパも選択することができる。
【００７５】
（９）本発明は、比較的柔らかくて細長いチーズタラのような細長い物品の計量搬出に特に好適に利用できるものであるが、スティックパンのような比較的硬く細長い物品の計量搬出にも利用することができる。
【符号の説明】
【００７６】
１            組合せ秤
２            振分け部
３            整列搬送部
８            計量ユニット
１３          集合ホッパ
２１          振分けシュート
２２          振分けホッパ
２４          リジェクトシュート
３１          集合トラフ
３２          集合トラフ
３３          集合トラフ
３９          シャッタ
４０          シャッタ
４８          シャッタ
５４          プッシャー
【図１】
2020003410.tif 000003
【図２】
2020003410.tif 000004
【図３】
2020003410.tif 000005
【図４】
2020003410.tif 000006
【図５】
2020003410.tif 000007
【図６】
2020003410.tif 000008
【図７】
2020003410.tif 000009
【図８】
2020003410.tif 000010
【図９】
2020003410.tif 000011
【図１０】
2020003410.tif 000012
【図１１】
2020003410.tif 000013
【図１２】
2020003410.tif 000014
【図１３】
2020003410.tif 000015
【図１４】
2020003410.tif 000016
【国際調査報告】
2020003410.tif 000017
2020003410.tif 000018
2020003410.tif 000019
2020003410.tif 000020